【手続補正書】
【提出日】平成18年4月24日(2006.4.24)
【手続補正１】
【補正対象書類名】明細書
【補正対象項目名】全文
【補正方法】変更
【補正の内容】
【書類名】      明細書
【発明の名称】  光ピックアップ装置、光ピックアップ装置の製造方法及び光ディスク装置
【特許請求の範囲】
【請求項１】  第１の波長の第１のレーザ光を出射する第１の光源が表裏のいずれか一方に配置され、表裏を貫通する第１の貫通孔が設けられ、第１の貫通孔内に光軸を有し且つ表面側の光ディスク上に第１のレーザ光を導く第１の光学系が設けられた板状部材と、
前記板状部材の裏面側に当該パッケージ内を封止するように設けられ、少なくとも第２の波長の第２のレーザ光を出射する第２の光源が設けられ、前記第１の貫通孔内に前記第１のレーザ光と共通の光軸を有し且つ当該第１の貫通孔を介して前記光ディスク上に第２のレーザ光を導く第２の光学系が設けられたパッケージ部材と、
前記光ディスクから反射された前記第１及び第２のレーザ光を受光するための受光手段と
を具備することを特徴とする光ピックアップ装置。
【請求項２】  請求項１に記載の光ピックアップ装置であって、
前記受光手段は、
前記板状部材の表面に設けられ、前記光ディスクから反射された第１のレーザ光を受光するための第１の受光素子と、
前記第１及び第２のレーザ光と共通の光軸上に設けられて前記光ディスクから反射された第１のレーザ光は所定の方向に反射して前記第２のレーザ光は透過する光分岐膜を有するプリズムを含み、前記反射した第１のレーザ光を前記第１の受光素子に導く第３の光学系と、
前記パッケージ部材の表面に設けられ、前記光ディスクから反射された第２のレーザ光を受光するための第２の受光素子と、
前記光ディスクから反射して前記光分岐膜を透過して前記第１の貫通孔を通過した第２のレーザ光を前記第２の受光素子に導く第４の光学系と
を具備することを特徴とする光ピックアップ装置。
【請求項３】  請求項２に記載の光ピックアップ装置であって、
前記プリズムは、
前記光分岐膜により反射された前記第１のレーザ光を透過させるガラス部材と、
前記ガラス部材を透過する前記第１のレーザ光を前記第１の受光素子に向けて反射する反射膜と
を具備することを特徴とする光ピックアップ装置。
【請求項４】  請求項１に記載の光ピックアップ装置であって、
前記受光手段は、
前記板状部材の表面に設けられ、前記光ディスクから反射された第１及び第２のレーザ光を受光するための受光素子と、
前記第１及び第２のレーザ光と共通の光軸上に設けられて前記光ディスクから反射された第１及び第２のレーザ光を前記受光素子に導く第３の光学系と
を具備することを特徴とする光ピックアップ装置。
【請求項５】  請求項４に記載の光ピックアップ装置であって、
前記第３の光学系は、
前記光ディスクで反射された前記第１のレーザ光及び前記第２のレーザ光を共に所定の方向に反射する光分岐膜と、前記光分岐膜によって反射された前記第１のレーザ光及び前記第２のレーザ光を透過させるガラス部材と、前記ガラス部材を透過する前記第１のレーザ光及び前記第２のレーザ光を前記受光素子に向けて反射する反射膜とを有するプリズム
を具備することを特徴とする光ピックアップ装置。
【請求項６】  請求項１に記載の光ピックアップ装置であって、
前記板状部材は、表裏を貫通する第２の貫通孔を有し、
前記受光手段は、
前記第２の貫通孔を塞ぐように前記板状部材の裏面に設けられ、前記光ディスクから反射された第１及び第２のレーザ光を受光するための受光素子と、
前記第１及び第２のレーザ光と共通の光軸上に設けられて前記光ディスクから反射された第１及び第２のレーザ光を前記第２の貫通孔を介して前記受光素子に導く第３の光学系と
を具備することを特徴とする光ピックアップ装置。
【請求項７】  請求項６に記載の光ピックアップ装置であって、
前記第３の光学系は、
前記光ディスクで反射された前記第１のレーザ光及び前記第２のレーザ光を共に所定の方向に反射する光分岐膜と、前記光分岐膜によって反射された前記第１のレーザ光及び前記第２のレーザ光を透過させるガラス部材と、前記ガラス部材を透過する前記第１のレーザ光及び前記第２のレーザ光を前記受光素子に向けて反射する反射膜とを有するプリズム
を具備することを特徴とする光ピックアップ装置。
【請求項８】  （ａ）第１の波長の第１のレーザ光を出射する第１の光源が表裏のいずれか一方に配置され、表裏を貫通する第１の貫通孔が設けられ、第１の貫通孔内に光軸を有し且つ表面側の光ディスク上に第１のレーザ光を導く第１の光学系が設けられた板状部材の裏面側に、
少なくとも第２の波長の第２のレーザ光を出射する第２の光源が設けられ、前記第１の貫通孔内に光軸を有し且つ当該第１の貫通孔を介して前記光ディスク上に第２のレーザ光を導く第２の光学系が設けられたパッケージ部材を位置させる工程と、
（ｂ）前記第１のレーザ光の光軸と前記第２のレーザ光の光軸とが共通するように前記板状部材及び前記パッケージ部材のうち少なくとも一方の位置を調節する工程と、
（ｃ）前記工程（ｂ）の後、前記板状部材とパッケージ部材とを当該パッケージ内を封止するように固定する工程と
を具備することを特徴とする光ピックアップ装置の製造方法。
【請求項９】  光ディスクを保持しつつ当該光ディスクを回転駆動させる回転駆動機構と、
第１の波長の第１のレーザ光を出射する第１の光源が表裏のいずれか一方に配置され、表裏を貫通する第１の貫通孔が設けられ、第１の貫通孔内に光軸を有し且つ表面側の前記光ディスク上に第１のレーザ光を導く第１の光学系が設けられた板状部材と、前記板状部材の裏面側に当該パッケージ内を封止するように設けられ、少なくとも第２の波長の第２のレーザ光を出射する第２の光源が設けられ、前記第１の貫通孔内に前記第１のレーザ光と共通の光軸を有し且つ当該第１の貫通孔を介して前記光ディスク上に第２のレーザ光を導く第２の光学系が設けられたパッケージ部材と、前記光ディスクから反射された前記第１及び第２のレーザ光を受光するための受光手段とを有する光ピックアップ装置と
を具備することを特徴とする光ディスク装置。
【発明の詳細な説明】
【０００１】
【発明の属する技術分野】
本発明は、例えば光ディスクに記録されたデータを再生等するための光ピックアップ装置、光ピックアップ装置の製造方法及び光ディスク装置に関する。
【０００２】
【従来の技術】
ＣＤ（Compact Disk）及びＤＶＤ（Digital Versatile Disk）の２種類の光ディスクに対応することができる光ピックアップ装置が各種提案されている。
【０００３】
例えば、特許文献１には、２つの受発光部を上下２段に積層して構成される光学ピックアップが開示されている。
【０００４】
この光学ピックアップでは、各受発光部から出射された光ビーム（レーザ光）がほぼ平行に対物レンズを通過し、光ディスク上に入射する。光ディスク上で反射したレーザ光は再び対物レンズを通り、各受発光部に入光する。
【０００５】
【特許文献１】
特開平１１−１４４２９７号公報（段落[００２６]、図４参照。）。
【０００６】
【発明が解決しようとする課題】
しかしながら、特許文献１に開示された光学ピックアップでは、２種類の光レーザに対して対物レンズ及びこれに付随する部品を共通化できるが、各受発光部から出射されたレーザ光間にある程度の間隔を生じることから、対物レンズに入射するレーザ光の位置がそれぞれのレーザ光で異なることになる。このように対物レンズに対するレーザ光の入射位置が異なると、光ディスク上で収差が発生し、信号の劣化の原因となる。
【０００７】
そこで、対物レンズに入射する各レーザ光の光軸を一致させるための光学系を新たに設けることが考えられるが、このような光学系を設けることは部品点数の増大に繋がるし、また製造段階で光軸が一致するように調整することは非常に困難な作業になるものと想定される。
【０００８】
一方、最近、ＣＤ及びＤＶＤの両方に対応する波長のレーザ光を出射できる半導体レーザ素子が開発された。これを用いれば、特許文献１の技術を用いなくてもＣＤ及びＤＶＤの両方に容易に対応できる光ピックアップ装置を構成することができる。
【０００９】
ところが、ＣＤやＤＶＤよりも記録容量の大きいＢｌｕ−Ｒａｙ  Ｄｉｓｃ（以下、「Ｂｌｕ−ｒａｙ」という。）が登場した。Ｂｌｕ−ｒａｙに対応するレーザ光の波長は約４０５ｎｍであり、ＣＤやＤＶＤとは異なる。Ｂｌｕ−ｒａｙの登場によりＣＤ、ＤＶＤ及びＢｌｕ−ｒａｙの３種類の光ディスクに対応した光ディスクドライブ装置が求められるようなり、３種類の波長のレーザ光に対応できる光ピックアップ装置の開発が要請されている。
【００１０】
そこで、ＣＤ及びＤＶＤの両方に対応する受発光ユニットとＢｌｕ−ｒａｙ対応の受発光ユニットとを上記特許文献１に示されるように２段に積層した光ピックアップ装置が必要であると考えられるが、上述したように、収差の問題、更には部品点数の問題や製造時の調節の問題が生じる。
【００１１】
本発明は、このような事情に基づきなされたもので、上述した収差の問題や部品点数の問題、製造時の調節の問題を解消することができる光ピックアップ装置、光ピックアップ装置の製造方法及び光ディスク装置を提供することにある。
【００１２】
【課題を解決するための手段】
Ａ．上記課題を解決するために、本発明の第１の観点に係る光ピックアップ装置は、第１の波長の第１のレーザ光を出射する第１の光源が表裏のいずれか一方に配置され、表裏を貫通する第１の貫通孔が設けられ、第１の貫通孔内に光軸を有し且つ表面側の光ディスク上に第１のレーザ光を導く第１の光学系が設けられた板状部材と、前記板状部材の裏面側に当該パッケージ内を封止するように設けられ、少なくとも第２の波長の第２のレーザ光を出射する第２の光源が設けられ、前記第１の貫通孔内に前記第１のレーザ光と共通の光軸を有し且つ当該第１の貫通孔を介して前記光ディスク上に第２のレーザ光を導く第２の光学系が設けられたパッケージ部材と、前記光ディスクから反射された前記第１及び第２のレーザ光を受光するための受光手段とを具備する。
【００１３】
本発明では、第１の光源から出射される第１のレーザ光と第２の光源から出射される第２のレーザ光とが共通の光軸を有しつつ光ディスク上に導かれるので、第１及び第２のレーザ光は対物レンズの同じ位置に入射する。従って、光ディスク上で収差が発生することはなくなり、収差に起因する信号の劣化を防止できる。しかも、他の特別な部品を用いることなく対物レンズを共有することができるので、部品点数の削減を図ることができる。
【００１４】
また、本発明では、パッケージ部材に第２のレーザ光を出射する第２の光源を設けると共に第１のレーザ光と共通の光軸を有し且つ光ディスク上に第２のレーザ光を導く第２の光学系を設けたので、製造時にパッケージ部材を移動するだけで、第１のレーザ光と第２のレーザ光との間で光軸を一致させる調整を行うことができる。従って、製造時の光軸調整を簡単に行うことができる。
【００１５】
（１）ここで、受光手段は、前記板状部材の表面に設けられ、前記光ディスクから反射された第１のレーザ光を受光するための第１の受光素子と、前記第１及び第２のレーザ光と共通の光軸上に設けられて前記光ディスクから反射された第１のレーザ光は所定の方向に反射して前記第２のレーザ光は透過する光分岐膜を有するプリズムを含み、前記反射した第１のレーザ光を前記第１の受光素子に導く第３の光学系と、前記パッケージ部材の表面に設けられ、前記光ディスクから反射された第２のレーザ光を受光するための第２の受光素子と、前記光ディスクから反射して前記光分岐膜を透過して前記第１の貫通孔を通過した第２のレーザ光を前記第２の受光素子に導く第４の光学系とを具備する構成が好ましい形態である。
【００１６】
このような構成によれば、第２の受光素子を第２の光源が設けられたパッケージ部材側に設けたので、製造時にパッケージ部材を移動させて第１のレーザ光と第２のレーザ光との間で光軸を一致させる調整を行うことで、第２の受光素子の位置調整を行うことが可能である。
【００１７】
この場合に、前記プリズムは、前記光分岐膜により反射された前記第１のレーザ光を透過させるガラス部材と、前記ガラス部材を透過する前記第１のレーザ光を前記第１の受光素子に向けて反射する反射膜とを具備することが好ましい形態である。
【００１８】
（２）前記受光手段は、前記板状部材の表面に設けられ、前記光ディスクから反射された第１及び第２のレーザ光を受光するための受光素子と、前記第１及び第２のレーザ光と共通の光軸上に設けられて前記光ディスクから反射された第１及び第２のレーザ光を前記受光素子に導く第３の光学系とを具備する構成が好ましい形態である。
【００１９】
このような構成によれば、第１及び第２のレーザ光を受光するための受光素子を用いているので、部品点数の削減を図ることができる。
【００２０】
ここで、受光素子に導かれた第１のレーザ光及び第２のレーザ光は、電気信号に変換される。変換された電気信号には、例えば再生信号の他にフォーカスエラー信号やトラッキングエラー信号などが含まれる。これらの信号は、光ピックアップ装置が搭載された光学ヘッドと本体装置側との間を接続するフレキシブル基板を介して本体装置側に送出される。本発明によれば、２つのレーザ光に対して共通の受光素子を用いているので、レーザ光毎に受光素子をそれぞれ設けた場合のフレキシブル基板上の配線数に比べ、その配線数を半減することができる。フレキシブル基板上の配線数を減らすことで、フレキシブル基板を細くでき、ヘッド駆動用モータの小型化や省電力化を図ることができる。その一方、配線を太くすることも可能であり、その場合には信頼性を高めることができる。
【００２１】
この場合に、前記第３の光学系は、前記光ディスクで反射された前記第１のレーザ光及び前記第２のレーザ光を共に所定の方向に反射する光分岐膜と、前記光分岐膜によって反射された前記第１のレーザ光及び前記第２のレーザ光を透過させるガラス部材と、前記ガラス部材を透過する前記第１のレーザ光及び前記第２のレーザ光を前記受光素子に向けて反射する反射膜とを有するプリズムを具備することが好ましい形態である。
【００２２】
（３）前記板状部材は、表裏を貫通する第２の貫通孔を有し、前記受光手段は、前記第２の貫通孔を塞ぐように前記板状部材の裏面に設けられ、前記光ディスクから反射された第１及び第２のレーザ光を受光するための受光素子と、前記第１及び第２のレーザ光と共通の光軸上に設けられて前記光ディスクから反射された第１及び第２のレーザ光を前記第２の貫通孔を介して前記受光素子に導く第３の光学系とを具備する構成が好ましい形態である。
【００２３】
このような構成によれば、フレキシブル基板上の配線数を半減することができる。また、受光素子が板状部材の裏面に設けられており、この面はパッケージ部材で封止する以前は外側に露出しているので、受光素子の位置調整を容易に行うことができる。
【００２４】
この場合に、前記第３の光学系は、前記光ディスクで反射された前記第１のレーザ光及び前記第２のレーザ光を共に所定の方向に反射する光分岐膜と、前記光分岐膜によって反射された前記第１のレーザ光及び前記第２のレーザ光を透過させるガラス部材と、前記ガラス部材を透過する前記第１のレーザ光及び前記第２のレーザ光を前記受光素子に向けて反射する反射膜とを有するプリズムを具備することが好ましい形態である。
【００２５】
Ｂ．本発明の第２の観点に係る光ピックアップ装置の製造方法は、（ａ）第１の波長の第１のレーザ光を出射する第１の光源が表裏のいずれか一方に配置され、表裏を貫通する第１の貫通孔が設けられ、第１の貫通孔内に光軸を有し且つ表面側の光ディスク上に第１のレーザ光を導く第１の光学系が設けられた板状部材の裏面側に、少なくとも第２の波長の第２のレーザ光を出射する第２の光源が設けられ、前記第１の貫通孔内に光軸を有し且つ当該第１の貫通孔を介して前記光ディスク上に第２のレーザ光を導く第２の光学系が設けられたパッケージ部材を位置させる工程と、（ｂ）前記第１のレーザ光の光軸と前記第２のレーザ光の光軸とが共通するように前記板状部材及び前記パッケージ部材のうち少なくとも一方の位置を調節する工程と、（ｃ）前記工程（ｂ）の後、前記板状部材とパッケージ部材とを当該パッケージ内を封止するように固定する工程とを具備する。
【００２６】
このような構成によれば、例えばＢｌｕ−ｒａｙを含む複数種類の光ディスクに対応し、それぞれの光ディスクに対応する波長の光について、光軸の調整が容易な構造を有する光ピックアップ装置を効率的に製造することができる。
【００２７】
Ｃ．本発明の第３の観点に係る光ディスク装置は、光ディスクを保持しつつ当該光ディスクを回転駆動させる回転駆動機構と、第１の波長の第１のレーザ光を出射する第１の光源が表裏のいずれか一方に配置され、表裏を貫通する第１の貫通孔が設けられ、第１の貫通孔内に光軸を有し且つ表面側の前記光ディスク上に第１のレーザ光を導く第１の光学系が設けられた板状部材と、前記板状部材の裏面側に当該パッケージ内を封止するように設けられ、少なくとも第２の波長の第２のレーザ光を出射する第２の光源が設けられ、前記第１の貫通孔内に前記第１のレーザ光と共通の光軸を有し且つ当該第１の貫通孔を介して前記光ディスク上に第２のレーザ光を導く第２の光学系が設けられたパッケージ部材と、前記光ディスクから反射された前記第１及び第２のレーザ光を受光するための受光手段とを有する光ピックアップ装置とを具備する。
【発明の実施の形態】
以下、本発明の実施の形態を図面に基づき説明する。  
図１は、本発明の一実施形態に係る光ディスク装置の全体図を示すものである。
【００２８】
光ディスク装置１は、例えばＢｌｕ−ｒａｙ等の光ディスクに記録された画像等の情報を読み出し、ディスプレイ等の外部機器にその画像を表示させるものである。
【００２９】
光ディスク装置１は、外形を象る筐体２を有する。この筐体２の正面側には、光ディスクを出し入れする際にスライド開閉するディスクトレイ３、光ディスク装置１を操作する操作部４、文字、数字、記号等を表示する表示部５、操作部４をカバーするカバー部６が設けられている。操作部４には、例えば光ディスクの種類を選択するボタン、ディスクトレイ３を開閉するボタン、光ディスクを記録・再生・停止させるボタン等が設けられる。表示部５は、例えば液晶表示装置等が用いられ、ディスクトレイ３の開閉状態や選択されている光ディスクの種類、記録・再生の進行状況等を表示する。カバー部６は、特に光ディスク装置１を長時間作動させないような場合に、ディスクトレイ３や操作部４にほこり等が付着しないよう保護する。筐体２の背面側には、接続部７が設けられる。接続部７には、例えばディスプレイ７ａやスピーカ７ｂ等の外部機器と接続するための接続端子が設けられている。
【００３０】
図２は、光ディスク装置の内部の構成を概略的に示した図であり、光ディスク装置からディスクトレイを取り外したときの分解図である。
【００３１】
光ディスク装置１の内部には、フレーム８が配置されている。このフレーム８上には、正面側にローディング機構９、ほぼ中央にベースユニット１０が配置されている。ローディング機構９は、ディスクトレイ３の開閉を行うための駆動機構である。ベースユニット１０は、光ディスクＤに記録された情報を読み取るための機器類、例えば、ディスクテーブル１１、スピンドルモータ１２、光学ヘッド１８等を有する。ディスクテーブル１１は、上下方向に自在に移動し、光ディスクＤを保持することができる。スピンドルモータ１２は、例えばモータ等の駆動機構を有し、ディスクテーブル１１を回転させる。
【００３２】
光学ヘッド１８は、光ピックアップ装置１３、移動ベース１４、光学系１５を有し、フレキシブル基板１７により本体側と接続されている。光ピックアップ装置１３は、移動ベース１４に支持されており、光ディスクＤに向けてレーザ光を発し、反射光を読み取ることで光ディスクＤに記録された情報を読み取る装置である。また、光学系１５は、光ピックアップ装置１３に取り付けられており、光ピックアップ１３から発する光を光ディスクＤに導くものである。光学系１５には、後述する対物レンズ１５ｃ等が含まれる。光ピックアップ１３、移動ベース１４、光学系１５は、光ピックアップ１３が移動ベース１４に支持され、光学系１５が光ピックアップ１３に取り付けられることにより、光ヘッド１８として一体的に設けられている。
【００３３】
光学ヘッド１８は、ベースユニット１０に対して移動可能に設けられる。具体的には、移動ベース１４の両側にそれぞれガイド軸１６が設けられており、移動ベース１４はこのガイド軸１６に移動可能に支持されている。移動ベース１４がガイド軸１６に案内されて移動することにより、光学ヘッド１８が光ディスクＤの回転の半径方向に移動できるようになっている。フレキシブル基板１７は、光学ヘッド１８の移動に対してフレキシブルに変形し、表面に配線１７ａが設けられている。この配線１７ａは、例えば光ピックアップ装置１３内部に設けられる電気系や移動ベース１４に設けられる電気系等と、光ディスク装置１に設けられる電気系とを電気的に接続する。配線１７ａにより、光ピックアップ装置１３で読み取った光ディスクＤの情報が電気信号として伝達されたり、また、移動ベース１４に移動情報が電気信号として伝達されたりする。
【００３４】
さらに、フレーム８には、ディスクトレイ保持部８ａが設けられる。ディスクトレイ保持部８ａは、ディスクトレイ３をセットする際に、ガイド溝３ｂに対して係合するようになっているので、ディスクトレイ３が正確な位置にセットされることが可能である。
【００３５】
次に、図３及び図４をもとにして、光ピックアップ装置１３について説明する。  
図３に示すように、光ピックアップ装置１３は、レーザ光が光ディスクＤに対してほぼ垂直に入射・反射するように、光射出面１３ｃが光ディスクＤの面と例えば対向した状態で配置される。
【００３６】
光ディスクＤと光ピックアップ装置１３との間には、光学系１５としてコリメータレンズ１５ａ、回折格子１５ｂ、対物レンズ１５ｃが介挿される。コリメータレンズ１５ａは、光ピックアップ装置１３から出射されたレーザ光が平行光となるようにする。回折格子１５ｂは、平行光となったレーザ光を回折し、そのまま直進する０次の回折光と、分岐する±１次の回折光と生じさせる。対物レンズ１５ｃは、すでに述べたように、回折格子１５ｂを通過した０次及び±１次の回折光の焦点を、光ディスクＤの例えば記録層に合わせるようにする。
【００３７】
光ピックアップ装置１３は、板状部材２２、パッケージ部材２３、光分岐プリズム２４が積層されて構成される。具体的には、例えばパッケージ部材２３に板状部材２２を積層した２重構造に、光分岐プリズム２４をさらに積層させて形成されている。
【００３８】
板状部材２２の一の面（表面）２２ａには、第１の発光部２６とプリズム２７とが配置され、他の面（裏面）２２ｂには、光検出基板２８が配置されている。また、板状部材２２には、その表裏面を貫通した第１の貫通孔２９が設けられている。
【００３９】
第１の発光部２６は、レーザダイオード２６ａと、レーザダイオード２６ａを制御するために用いられるフォトディテクタ２６ｂとを有する。レーザダイオード２６ａは、例えばＢｌｕ−ｒａｙに対応した波長約４０５ｎｍの第１のレーザ光２６ｃを発光する。フォトディテクタ２６ｂは、レーザダイオード２６ａから発光される第１のレーザ光２６ｃの反射光を受光し、これに基づきレーザダイオード２６ａは、その出力等が制御される。
【００４０】
プリズム２７には反射面２７ａが設けられている。反射面２７ａには、第１のレーザ光２６ｃは反射し、第２のレーザ光３０ｃは反射せずに透過する膜が形成されている。
【００４１】
光検出基板２８は、光ディスクＤによって反射された第１のレーザ光２６ｃを検出して電気信号に変換する光検出部（フォトディテクタ）２８ａを有する。
【００４２】
パッケージ部材２３の底面２３ａ上には、基板３２が配置される。基板３２上には、第２の発光部３０、プリズム３１、光検出部３２ａ、３２ｂが設けられている。
【００４３】
第２の発光部３０は、レーザダイオード３０ａと、レーザダイオード３０ａを制御するために用いられるフォトディテクタ３０ｂとを有する。レーザダイオード３０ａは、２種類の光、すなわちＣＤに対応する波長約７８０ｎｍのレーザ光及びＤＶＤに対応する波長約６５０ｎｍのレーザ光とを発光する。以下、説明の便宜上これら２種類の光をまとめて第２のレーザ光３０ｃという。フォトディテクタ３０ｂは、レーザダイオード３０ａから発光される第１のレーザ光３０ｃの反射光を受光し、これに基づきレーザダイオード３０ａは、その出力等が制御される。
【００４４】
光検出部（フォトディテクタ）３２ａ、３２ｂは、光ディスクＤによって反射された第２のレーザ光３０ｃを検出し、電気信号に変換する。
【００４５】
プリズム３１は、傾斜面３１ａ、床面３１ｂ、天井面３１ｃを有し、光検出部３２ａ、３２ｂ上に載置されている。  
傾斜面３１ａには、第２の発光部３０から出射された第２のレーザ光３０ｃを、第１のレーザ光２６ｃと光軸が共通するように光ディスクＤに向けて反射し、かつ光ディスクＤで反射した第２のレーザ光３０ｃを透過・屈折させてプリズム３１内部に進入させる膜が形成されている。  
床面３１ｂには、光検出部３２ａの領域に第２のレーザ光３０ｃを半反射・半透過させる膜が形成されている。傾斜面３１ａからプリズム３１内部に進入した第２のレーザ光３０ｃを透過させて光検出部３２ａに検出させると同時に、プリズム３１の天井面３１ｃに向けて反射する。  
天井面３１ｃには、床面３１ｂの膜により反射された光を、再び床面３１ｂに向けて反射する反射膜が形成されている。
【００４６】
光分岐プリズム２４は、例えばガラス等で形成されており、光射出面１３ｃに対して約４５度傾けた状態で設けられた光分岐膜２４ａ及び光反射膜２４ｂを内部に有する。光分岐膜２４ａは、第１のレーザ光２６ｃ及び第２のレーザ光３０ｃを透過させて光ディスクＤに導くとともに、光ディスクＤで反射した第１のレーザ光２６ｃを光反射膜２４ｂの方向に反射する。また、光ディスクＤで反射した第２のレーザ光３０ｃについては反射せずに透過させる。光反射膜２４ｂは、光分岐膜２４ａで反射した第１のレーザ光２６ｃを、光検出部２８ａに向けて反射する。
【００４７】
板状部材２２の表裏及びパッケージ部材２３の底面は、光分岐プリズム２４と封止部材２５ａ、２５ｂと当該パッケージ部材２３自体によって封止されるようになっている。
【００４８】
次に、このように構成された光ピックアップ装置１３の動作について説明する。
【００４９】
第１の発光部２６から第１のレーザ光２６ｃが出射され、図４に示すように、プリズム２７により矢印Ａの方向に反射されて第１の貫通孔２９を通過し、光分岐プリズム２４内に進入し、光分岐プリズム２４内の光分岐膜２４ａをそのまま通過して出射される。
【００５０】
出射されると、コリメータレンズ１５ａによって平行光線に変換され、回折格子１５ｂを通過して、±１次回折光を生じる。回折格子１５ｂを通過すると、対物レンズ１５ｃに進入し、この対物レンズ１５ｃによりフォーカスされて光ディスクＤに到達する。
【００５１】
光ディスクＤには所定のピットが形成されており、第１のレーザ光２６ｃこのピットの凹凸に照射され、矢印Ｂの方向に反射される。そして、同一の経路を逆方向に進み、対物レンズ１５ｃ、回折格子１５ｂ、コリメータレンズ１５ａを通過して、光分岐プリズム２４内に進入する。
【００５２】
ここで、第１のレーザ光２６ｃは、図５に示すように、光分岐膜２４ａにより矢印Ｃの方向に反射され、光分岐プリズム２４の内部を直進し、光反射膜２４ｂでさらに矢印Ｄの方向に反射される。そして、光分岐プリズム２４を脱し、板状部材２２の面２２ｂ上に設けられた基板２８の光検出部２８ａに到達する。光検出部２８ａに到達した光は、電気信号に変換される。
【００５３】
また、第２のレーザ光３０ｃは、図４に示すように、プリズム３１により矢印Ａの方向に反射され、プリズム２７を透過する。さらに第１の貫通孔２９を通過し、光分岐プリズム２４内に進入し、光分岐プリズム２４内の光分岐膜２４ａをそのまま通過して、光ピックアップ装置１３から出射される。
【００５４】
出射されると、コリメータレンズ１５ａによって平行光線に変換され、回折格子１５ｂを通過して、±１次回折光を生じる。回折格子１５ｂを通過すると、第１のレーザ光２６ｃと同じ位置で対物レンズ１５ｃに進入し、この対物レンズ１５ｃによりフォーカスされて光ディスクＤに到達する。
【００５５】
第２のレーザ光３０ｃは、光ディスクＤで反射されると、第１のレーザ光２６ｃの場合と同様の光路をたどり、光分岐プリズム２４内に進入する。
【００５６】
ここで、第２のレーザ光３０ｃは、図５に示すように、光分岐膜２４ａを透過して直進し、第１の貫通孔２９を通り抜ける。そして、プリズム２７を透過し、プリズム３１に達する。第２のレーザ光３０ｃは、プリズム３１に達するとプリズム３１の面３１ａで屈折されてプリズム３１内に進入する。屈折した第２のレーザ光３０ｃは、半反射膜が形成されているプリズム３１の床面３１ｂを透過して光検出部３２ａに到達する光と、半反射膜により反射される光とに分岐される。反射された後者の光は反射膜が形成されたプリズム３１の天井面３１ｃで反射され、光検出部３２ｂに到達する。光検出部３２ａ、３２ｂに到達した光は、電気信号に変換される。
【００５７】
本実施形態に係る光ピックアップ装置１３では、第１の発光部２６から出射される第１のレーザ光２６ｃと第２の発光部３０から出射される第２のレーザ光３０ｃとが共通の光軸を有しつつ光ディスクＤ上に導かれるので、第１のレーザ光２６ｃ及び第２のレーザ光３０ｃは対物レンズ１５ｃの同じ位置に入射する。従って、光ディスクＤ上で収差が発生することはなくなり、収差に起因する信号の劣化を防止できる。しかも、他の特別な部品を用いることなく対物レンズ１５ｃを共有することができるので、部品点数の削減を図ることができる。
【００５８】
次に、本実施形態に係る光ピックアップ装置を製造する工程について説明する。図６は、光ピックアップ装置を製造する工程を示すフロー図である。
【００５９】
まず、板状部材２２に第１の発光部２６、プリズム２７、光検出基板２８を実装し、第１の貫通孔２９設けることで、板状部材２２を形成する（ステップ６０１）。例えば、図７（ａ）に示すように、基板の面２２ｂに光検出基板２８を実装し、図７（ｂ）に示すように、基板の面２２ａに、第１の発光部２６、プリズム２７を実装する。
【００６０】
次に、図８に示すように、第２の発光部３０、プリズム３１、光検出部３２ａ、３２ｂが搭載された基板３２をパッケージ部材２３に実装する（ステップ６０２）。
【００６１】
次に、板状部材２２またはパッケージ部材２３の位置を調整することで、出射される第１のレーザ光２６ｃ及び第２のレーザ光３０ｃの光軸が一致するように調整する。（ステップ６０３）。例えば、図９に示すように、第１の発光部２６、第２の発光部３０でそれぞれ第１のレーザ光２６ｃ、第２のレーザ光３０ｃを発光させ、カメラ３３に向けて照射する。カメラ３３は、照射された第１のレーザ光２６ｃ及び第２のレーザ光３０ｃの光軸を読み取る。読み取った光の光軸が一致するように、板状部材２２、パッケージ部材２３の一方又は両方を適宜移動させて光軸を調整する。
【００６２】
次に、図１０に示すように、光軸を調整し、一致させたところで封止部材２５ａを介して板状部材２２とパッケージ部材２３とを貼り付けて固定する（ステップ６０４）。
【００６３】
そして、図１１に示すように、封止部材２５ｂを介して、光分岐プリズム２４を板状部材２２に貼り付ける（ステップ６０５）。
【００６４】
このような方法により、Ｂｌｕ−ｒａｙ等複数種類の光ディスクに対応する波長のレーザ光に対して光軸の調整が容易な構造を有する光ピックアップ装置を効率的に製造することができる。
【００６５】
次に、図１２及び図１３をもとにして、本発明に係る光ピックアップ装置の第２の実施形態について説明する。
【００６６】
図１２は、光ピックアップ装置から出射された光が光ディスクで反射して再び光ピックアップ装置に戻ってくる様子を示したものである。なお、第１実施形態と同様の構成要素には同一の符号で示し、重複する説明は省略した。
【００６７】
図１２に示すように、板状部材２２の面２２ｂ上には、第１のレーザ光２６ｃ及び第２のレーザ光３０ｃの双方を受光することが可能な光検出基板３６が設けられている。この光検出基板３６は、光ディスクＤによって反射された第１のレーザ光２６ｃ及び第２のレーザ光３０ｃの双方を検出し、電気信号に変換することができる光検出部（フォトディテクタ）３６ａを有する。
【００６８】
また、光分岐プリズム３４は、光ディスクＤで反射した第１のレーザ光２６ｃ及び第２のレーザ光３０ｃをともに光分岐プリズム３４内に向けて反射させる光分岐膜３４ａを有する。また、光分岐膜３４ａにより反射されたレーザ光２６ｃ、３０ｃを光検出部３６ａに向けて反射する光反射膜３４ｂを有する。
【００６９】
したがって、光ディスクＤにより反射された第１のレーザ光２６ｃ及び第２のレーザ光３０ｃは、ともに光分岐膜３４ａにより光分岐プリズム３４内に反射され、さらに、光反射膜３４ｂにより光検出部３６ａに向けて反射される。これにより、第１のレーザ光２６ｃ及び第２のレーザ光３０ｃの双方を一つの光検出部３６ａに導くことができる。また、一つの光検出部３６ａにより第１のレーザ光２６ｃ及び第２のレーザ光３０ｃの双方を受光することができるため、部品点数の削減を図ることができる。
【００７０】
また、図１３に示すように、面２２ａ（裏面）に光検出基板３６を実装し、面２２ｂに第１の発光部２６及びプリズム２７を実装するようにしてもよい。すなわち、図１２の場合に対して、板状部材２２を裏返した状態で固定してもよい。この場合、板状部材２２に第２の貫通孔３８を設け、光検出部３６ａにより第２の貫通孔３８を塞ぐように、光検出基板３６を板状部材２２に貼り付けるようにする。これにより、第２貫通孔３８を介して、第１のレーザ光２６ｃ及び第２のレーザ光３０ｃを光検出部３６ａに到達させることができる。
【００７１】
このような構成により、光検出部３６ａが板状部材２２の裏面に設けられており、この面はパッケージ部材２３で封止する以前は外側に露出しているので、光検出部３６ａの位置調整を容易に行うことができる。
【００７２】
また、図１２及び図１３に示す実施形態によれば、２つのレーザ光２６ｃ、３０ｃに対して共通の光検出部３６ａを用いているので、レーザ光２６ｃ、３０ｃ毎に光検出部をそれぞれ設けた場合の配線の数に比べ、その配線数を半減することができる。配線数を減らすことで、フレキシブル基板１７を細くでき、光学ヘッド１８を駆動する例えばモータ等の小型化や省電力化を図ることができる。その一方、フレキシブル基板１７の配線１７ａを太くすることも可能であり、その場合には信頼性を高めることができる。
【００７３】
【発明の効果】
以上説明したように、本発明によれば、収差の問題や部品点数の問題、製造時の調節の問題を解消することができる光ピックアップ装置、光ピックアップ装置の製造方法及び光ディスク装置を提供することすることができる。
【図面の簡単な説明】
【図１】
第１の実施形態に係る光ディスク装置の全体図である。
【図２】
第１の実施形態に係る光ディスク装置の内部構造を示す斜視図である。
【図３】
第１の実施形態に係る光ピックアップ装置と、光学系及び光ディスクとの位置関係を示す断面図である。
【図４】
第１の実施形態に係る光ピックアップ装置を示す斜視図（その１）である。
【図５】
第１の実施形態に係る光ピックアップ装置を示す斜視図（その２）である。
【図６】
第１の実施形態に係る光ピックアップ装置を製造する工程を示すフロー図である。
【図７】
第１の実施形態に係る光ピックアップ装置の一部である基板についての斜視図である。
【図８】
第１の実施形態に係る光ピックアップ装置の一部であるパッケージについての斜視図である。
【図９】
第１の実施形態に係る光ピックアップ装置の基板とパッケージとの位置関係を示す断面図である。
【図１０】
第１の実施形態に係る光ピックアップ装置の基板とパッケージとを固定させた様子を示す断面図である。
【図１１】
第１の実施形態に係る光ピックアップ装置の基板と光分岐プリズムとを固定させた様子を示す断面図である。
【図１２】
第２の実施形態に係る光ピックアップ装置を示す断面図である。
【図１３】
第２の実施形態に係る光ピックアップ装置の変形例を示す断面図である。
【符号の説明】
Ｄ…光ディスク
１…光ディスク装置
３…ディスクトレイ
３ａ…ステージ
１１…ディスクテーブル
１２…スピンドルモータ
１３…光ピックアップ装置
１５…光学系
１５ａ…コリメータレンズ
１５ｂ…回折格子
１５ｃ…対物レンズ
１７…フレキシブル基板
１７ａ…配線
２２…板状部材
２３…パッケージ部材
２４、３４…光分岐プリズム
２４ａ、３４ａ…光分岐膜
２４ｂ、３４ｂ…光反射膜
２５ａ、２５ｂ…封止部材
２６…第１の発光部
３０…第２の発光部
２７、３１…プリズム
２８ａ、３２ａ、３２ｂ、３６ａ…光検出部
２９…第１の貫通孔
３８…第２の貫通孔